(57)【要約】【課題】  訪問相手や訪問先の建物などを容易に判断し得る名刺情報を送受信する携帯電子機器を提供する。【解決手段】  カメラ付き携帯電話機は、その入力操作部から入力された文字データに、その内部に設けられたデジタルカメラで撮影された画像データを関連付けた名刺ファイルを作成する名刺ファイル作成モードを備える。この名刺ファイル作成モード下において、ＬＣＤ７上に表示された文字データ入力領域４０に個人情報を入力し、画像設定領域４１にその人物の顔や建物などの画像データを設定すると名刺ファイルが作成され、内部メモリやメモリカードに保存される。作成された名刺ファイルは、ＬＣＤ７上に適宜表示され、また、赤外線、電波、あるいは有線による通信手段で、他のカメラ付き携帯電話機等との間で送受信される。【選択図】        図６
2005242700.tif 000002
【特許請求の範囲】
【請求項１】
被写体を撮影して画像データに変換する撮影手段と、文字データを入力する入力操作手段と、前記画像データと前記文字データとからなる名刺ファイルを作成する名刺ファイル作成手段と、前記名刺ファイルを記憶する記憶手段と、この記憶手段に記憶された前記名刺ファイルの画像データ及び文字データを画面上に表示する表示手段と、前記名刺ファイルを外部機器との間で送受信する通信手段とを備えた携帯電子機器。
【請求項２】
前記通信手段は、赤外線、電波、あるいは有線による通信を可能とすることを特徴とする請求項１記載の携帯電子機器。
【発明の詳細な説明】
【技術分野】
【０００１】
本発明は、互いの名刺情報を送受信することを可能とする携帯電子機器に関するものである。
【背景技術】
【０００２】
氏名、会社名、電話番号、電子メールアドレスなどのいわゆる名刺情報を初めて出会った相手と交換するには、名刺情報を印刷した紙媒体を互いに交換することが従来から一般的に行われている。また、近年の電子機器の発達に伴って、名刺情報を電子データ化して互いに交換することが行われており、例えば、電子データ化された名刺情報を送受信可能としたカードタイプの携帯可能な電子名刺が考案されている（特許文献１参照）。
【０００３】
【特許文献１】特開２００１−２２９３５１号公報
【発明の開示】
【発明が解決しようとする課題】
【０００４】
しかしながら、特許文献１に記載の携帯電子機器は、名刺情報として文字データのみを互いに構成するものであるため、以前に名刺情報を交換した相手を訪ねる場合に、相手の顔が思い出せず、相手の名前をいちいち確認しなければならないといった不都合がある。また、名刺情報を交換した相手の会社を訪問する際に、どの建物を訪れればよいのかといったことをこの名刺情報から容易に判断することができず不便である。
【０００５】
本発明は、上記課題を鑑みてなされたものであり、訪問相手や訪問先の建物などを容易に判断し得る名刺情報を送受信する携帯電子機器を提供することを目的とする。
【課題を解決するための手段】
【０００６】
上記目的を達成するために、本発明の携帯電子機器は、被写体を撮影して画像データに変換する撮影手段と、文字データを入力する入力操作手段と、前記画像データと前記文字データとからなる名刺ファイルを作成する名刺ファイル作成手段と、前記名刺ファイルを記憶する記憶手段と、この記憶手段に記憶された前記名刺ファイルの画像データ及び文字データを画面上に表示する表示手段と、前記名刺ファイルを外部機器との間で送受信する通信手段とを備えたことを特徴とする。
【０００７】
なお、前記通信手段は、赤外線、電波、あるいは有線によって通信を行うことが好ましい。
【発明の効果】
【０００８】
本発明の携帯電子機器によれば、機器間で送受信される名刺ファイルに、個人に関する文字データ以外に顔や勤務先の建物などの画像データを付加することができるので、名刺ファイルを交換した相手を後日訪問する際などにおいて、訪問相手や訪問先の建物などを容易に判断することができる。
【発明を実施するための最良の形態】
【０００９】
図１及び図２にデジタルカメラが内蔵されたカメラ付き携帯電話機２の外観を示す。このカメラ付き携帯電話機２は、ヒンジ部３により折り畳み自在に連結された受話器ユニット４ａと送話器ユニット４ｂとからなる。受話器ユニット４ａは、その内部にデジタルカメラ２０（図３参照。以下、内蔵カメラと呼ぶ）を備えており、内蔵カメラ２０の撮像レンズ５が受話器ユニット４ａの外面に露出している。
【００１０】
受話器ユニット４ａの内面側には、受話スピーカ６とメイン画面表示用の液晶表示器（ＬＣＤ）７とが設けられている。受話器ユニット４ａの外面側には、撮像レンズ５のほか、アンテナ８、サブ画面表示用の液晶表示器（ＬＣＤ）９、及びストロボ装置３１（図３参照）からの照明を放射するフラッシュ窓１０が設けられ、また、端部には他の携帯電話と赤外線データ通信を行うための赤外線ポート１１が設けられている。なお、ＬＣＤ７，９に代えてＥＬ（エレクトロルミネッセンス）ディスプレイなどの電子表示器を用いることも可能である。
【００１１】
送話器ユニット４ｂの内面側には、送話マイク１２のほか、送話時のダイヤル操作を行うためのダイヤルキー１３や各種の選択キー１４などからなる入力操作部１５が設けられている。また、送話器ユニット４ｂの一方の側面には、メモリカード２７（図３参照）が着脱自在に装填されるメモリカードスロット１６と、他の携帯電話やパーソナルコンピュータなどの外部機器とケーブル接続するためのソケット１７とが設けられている。
【００１２】
アンテナ８は、音声通話や電子メールサービス、インターネット接続サービスを利用する際に、他の携帯電話やインターネットサーバなどからの電波信号を受信するとともに、カメラ付き携帯電話２から発信される電波信号を外部に送信する。
【００１３】
受話スピーカ６は、通信相手の音声（受話音声）や着信メロディを出力する。メイン画面表示用のＬＣＤ７には、各種メニュー画面、着信相手の電話番号やメールアドレス、インターネットサーバからダウンロードした画像、内蔵カメラ２０から出力されるスルー画像や撮影画像などが表示される。また、サブ画面表示用のＬＣＤ９には、日付、バッテリの残量、着信の有り無しなどの情報が表示され、カメラ付き携帯電話機２が折り畳まれた状態でこれらの情報を確認することができる。
【００１４】
送話マイク１２は、話し手の音声（送話音声）を電気的な音声信号に変換する。この音声信号はアンテナ８から電波となって発信され、基地局及び回線網を介して通話相手の携帯電話に送信される。選択キー１４は、電話番号やメールアドレスの登録などの各種メニューの選択・設定、インターネット接続サービスや電子メールサービスを利用する際に操作される。また、この選択キー１４を操作することにより、内蔵カメラ２０による撮影を行うことができる。ダイヤルキー１３は、電話番号の発信番号入力や電子メールの文章入力の際に操作されることのほか、カメラ付き携帯電話機２の内部メモリに保存する各個人の名刺情報（氏名、会社名、所属名、役職名、電話番号、電子メールアドレスなど）を入力する際に操作される。
【００１５】
赤外線ポート１１は、他の携帯電話と一対一で直接データ通信を行うための端子である。この赤外線ポート１１は、上記名刺情報や、内蔵カメラ２０による撮影で得られた画像データを赤外線信号として他の携帯電話に送信することのほか、他の携帯電話から送信された赤外線信号を受信する。この赤外線データ通信には、例えばＩｒＤＡ（Infrared Data Association ）という標準規格を用いることができる。この標準規格には、通信可能距離１ｍ、通信速度１１５．２ｋｂｐｓまでのバージョン１．０仕様、通信可能距離１ｍ以内、通信速度４Ｍｂｐｓまでのバージョン１．１仕様、通信可能距離０．２ｍ以内、通信速度１１５．２ｋｂｐｓまでのバージョン１．２仕様（低消費電力版）などがある。赤外線データ通信は、概ね数十ｃｍ〜１ｍ程度の近距離無線通信である。
【００１６】
図３は、カメラ付き携帯電話機２の電気的構成を示す。内蔵カメラ（撮影手段）２０は、撮像レンズ５、ＣＣＤ型イメージセンサ（ＣＣＤ）２１、信号処理回路２２、及びフレームメモリ２３によって構成されている。ＣＣＤ２１は、撮像レンズ５で結像された被写体光を電気的な撮像信号に変換する固体撮像素子であって、撮像レンズ５の背後に配置されている。信号処理回路２２は、ＣＣＤ２１から出力された撮像信号に対して、サンプリング、増幅、Ａ／Ｄ変換を施し、デジタル化された画像データを出力する。出力された画像データは、フレームメモリ２３に一旦格納される。なお、ＣＣＤ２１は、図示しないタイミングジェネレータによって、個別に動作制御される。また、固体撮像素子として、ＣＣＤ型イメージセンサの代わりに、省電力化・小型化等に供するＭＯＳ型イメージセンサを用いることも可能である。
【００１７】
ＣＰＵ２４は、カメラ付き携帯電話機２の全体の動作を統括的に制御する。このＣＰＵ２４には、前述の赤外線ポート１１や入力操作部１５の他に、受話スピーカ６および送話マイク１２で入出力される音声に対してノイズ除去などの各種処理を施す音声処理回路２５、ＬＣＤ７およびＬＣＤ９の表示制御を行うＬＣＤドライバ２６、メモリカード２７へのデータの入出力制御を行うメディアコントローラ２８、アンテナ８を介して基地局と電波信号の送受信を行う電波通信Ｉ／Ｆ２９、ソケット１７を介して外部機器とデータの送受信を行う外部通信Ｉ／Ｆ３０、暗い被写体を撮影するときに補助照明を放射するストロボ装置３１、ＲＯＭ（Read Only Memory）３２ａとＲＡＭ（Random Access Memory）３２ｂとからなる内部メモリ３２、および上記各部に電源電圧を供給するバッテリ３２が接続されている。
【００１８】
ＲＯＭ３２ａは、フラッシュメモリなどの不揮発性メモリであり、ＣＰＵ２４が上記各部を制御するためのプログラムが格納されているプログラム領域と、名刺情報や画像データなどのデータを格納するためのデータ領域とを備えている。また、ＲＡＭ３２ｂは、ＳＲＡＭ（Static RAM）やＤＲＡＭ（Dynamic RAM ）などの揮発性メモリであり、ＣＰＵ２４と高速にデータ入出力を行うことが可能である。ＲＡＭ３２ｂには、ＲＯＭ３２ａに格納されたプログラムが転送され、ＣＰＵ２４から随時にアクセスされる。ＣＰＵ２４は、このプログラムに基づいた制御を行う。
【００１９】
ＣＰＵ２４は、各部を制御してカメラ付き携帯電話機２を、電話機として動作させた音声通信モード、または電子メール端末として動作させたデータ通信モードとすることのほか、デジタルカメラとして動作させた撮影モードとすることができる。
【００２０】
ＣＰＵ２４は、撮影モード下においてフレームメモリ２３に順次格納される画像データを、ＬＣＤドライバ２６を介してＬＣＤ７にスルー画像として表示させ、入力操作部１５の選択キー１４の操作によってシャッタレリーズが行われたとき、１画面分の画像データがＲＯＭ３２ａのデータ領域に記録される。あるいは、このとき、画像データをメディアコントローラ２８を介してメモリカード２７に記録することも可能である。
【００２１】
また、カメラ付き携帯電話機２は、名刺ファイル作成モードを備える。入力操作部１５の選択キー１４によって名刺ファイル作成モードが選択されると、ＣＰＵ２４によってＲＯＭ３２ａに格納された名刺ファイル作成プログラムが起動され、ＬＣＤ７には、図４に示すような入力画面が表示される。ユーザは入力操作部１５のダイヤルキー１３及び選択キー１４を操作することにより、画面中の文字データ入力領域４０に、名刺情報を作成したい人物の氏名、会社名、所属名、役職名、電話番号、電子メールアドレスなどの文字情報を順に入力することができる。また、撮影モード下で撮影した画像から所望の画像を画像設定領域４１に設定することができる。この文字情報と画像とは関連付けられ、図５に示すような文字データ４２ａ及び画像データ４２ｂからなる名刺ファイル４２が作成される。この名刺ファイル４２は適宜複数個作成され、記憶手段（ＲＯＭ３２ａのデータ領域あるいはメモリカード２７）に保存される。なお、名刺ファイル作成モードにおいて、ＣＰＵ２４は名刺ファイル４２を作成する名刺ファイル作成手段として機能する。
【００２２】
図６（Ａ）及び（Ｂ）は、このようにして作成された名刺ファイル４２をＬＣＤ７上に表示した例を示す。図６（Ａ）は文字情報に人物画像が付加された名刺ファイル４２の表示例であり、図６（Ｂ）は文字情報に建物を含む風景画像が付加された名刺ファイル４２の表示例である。なお、名刺ファイル４２に１つの画像データを付加するだけでなく、複数の画像データを付加するようにしてもよい。例えば、名刺ファイル４２に上記人物画画像および風景画像の２つの画像データを付加し、これらの画像データを選択キー１４の操作で選択的にＬＣＤ７の画像設定領域４１に表示できるようにしてもよい。また、画像設定領域４１に複数の画像データを並べて一度に表示するようにしてもよい。
【００２３】
次に、図７（Ａ）は、赤外線ポート１１を用いた赤外線通信によって２つのカメラ付き携帯電話機２の間で直接名刺ファイル４２を送受信する様子を示す。この使用例として例えば、各ユーザが上記名刺ファイル作成モードで自身の個人情報を入力して作成した名刺ファイル４２を各カメラ付き携帯電話機２に予め保存しておき、初対面の相手と出会ったとき、お互いのカメラ付き携帯電話機２の赤外線ポート１１を向かい合わせた状態で選択キー１４を操作することで互いの名刺ファイル４２を交換することができる。このとき受け取った相手の名刺ファイル４２に画像が記録されていない場合には、自身のカメラ付き携帯電話機２を撮影モードにして相手の顔を撮影し、受け取った相手の名刺ファイル４２に付加することができる。また、その他の画像（勤務先の建物やその周辺の様子など）やその他の不足情報を受け取った相手の名刺ファイル４２に付加することや、受け取った相手の名刺ファイル４２の内容を変更することも可能である。
【００２４】
図７（Ｂ）は、同様な名刺ファイル４２の交換を、基地局５０及び回線網５１を介した電波通信で行う様子を示す。名刺ファイル４２は、カメラ付き携帯電話機２のアンテナ８から電波（マイクロ波）信号となって発信され、近隣の基地局５０に受信され、回線網５１を介して相手のカメラ付き携帯電話機２が存在する基地局５０へ有線伝送される。この基地局５０から電波通信によって相手のカメラ付き携帯電話機２に名刺ファイル４２が送信される。このような通信方式を用いれば、ユーザは名刺ファイル４２の交換相手と直接対面することなく、互いに離れた場所で名刺交換することが可能となる。
【００２５】
図７（Ａ）及び（Ｂ）の無線方式の通信によって名刺ファイル４２の交換を行うだけでなく、図８（Ａ）に示すように、２つのカメラ付き携帯電話機２のソケット１７間をケーブル６０で接続し、このケーブル６０を介した有線通信で名刺ファイル４２の交換するようにしてもよい。また、図８（Ｂ）に示すように、メモリカードスロット１６に着脱されるメモリカード２７に名刺ファイル４２を格納し、メモリカード２７を互いに交換することで名刺ファイル４２の交換を行うようにしてもよい。
【００２６】
なお、カメラ付き携帯電話機２が備える赤外線ポート１１、電波通信Ｉ／Ｆ２９、アンテナ８、外部通信Ｉ／Ｆ３０、及びソケット１７は、名刺ファイル４２を外部機器との間で送受信する通信手段として機能する。
【００２７】
上記のような名刺ファイル４２の交換は、例えばビジネスマン同士の間で使用される。互いに交換された名刺ファイル４２には、個人に関する文字情報以外に顔や勤務先の建物などの相手に関連した画像情報が含まれるので、後に相手を訪問した際に相手の顔や勤務先の建物などを確実に判断することができる。
【００２８】
上記実施形態では、携帯電子機器としてカメラ付き携帯電話２を例示して説明したが、これに限られず、他の携帯電子機器、例えばＰＤＡ（Personal Digital Assistance ）やデジタルスチルカメラに適用した場合にも本発明は有効である。なお、これらの異なる種類の電子機器の間で名刺ファイル４２を交換するようにしてもよい。
【図面の簡単な説明】
【００２９】
【図１】カメラ付き携帯電話の内面側を示す外観斜視図である。
【図２】カメラ付き携帯電話の外面側を示す外観斜視図である。
【図３】カメラ付き携帯電話の電気的構成を示すブロック図である。
【図４】名刺ファイル作成モードにおけるＬＣＤの表示例を示す図である。
【図５】名刺ファイルの構成を示す図である。
【図６】（Ａ）は人物画像が付加された名刺ファイルの表示例を示す図であり、（Ｂ）は建物を含む風景画像が付加された名刺ファイルの表示例を示す図である。
【図７】（Ａ）は赤外線通信によって名刺ファイルを送受信する様子を示す図であり、（Ｂ）は基地局及び回線網を介した電波通信によって名刺ファイルを送受信する様子を示す図である。
【図８】（Ａ）はケーブルを介した有線通信で名刺ファイルを送受信する様子を示す図であり、（Ｂ）はメモリカードを媒体として名刺ファイルを交換する様子を示す図である。
【符号の説明】
【００３０】
２    カメラ付き携帯電話
７    液晶表示器（ＬＣＤ）
８    アンテナ
１１    赤外線ポート
１３    ダイヤルキー
１４    選択キー
１５    入力操作部
１６    メモリカードスロット
１７    ソケット
２０    内蔵カメラ
２１    ＣＣＤ
２４    ＣＰＵ
２９    電波通信Ｉ／Ｆ
３０    外部通信Ｉ／Ｆ
３２    内部メモリ
３２ａ    ＲＯＭ
３２ｂ    ＲＡＭ
４０    文字データ入力領域
４１    画像設定領域
４２    名刺ファイル
４２ａ    文字データ
４２ｂ    画像データ
５０    基地局
５１    回線網
６０    ケーブル
【図１】
2005242700.tif 000003
【図２】
2005242700.tif 000004
【図３】
2005242700.tif 000005
【図４】
2005242700.tif 000006
【図５】
2005242700.tif 000007
【図６】
2005242700.tif 000008
【図７】
2005242700.tif 000009
【図８】
2005242700.tif 000010